(57)【要約】  シート状基板の縁を処理する装置。この装置は、仕上げ部材、シュラウド、および管状部材を含む。仕上げ部材は、シュラウドのチャンバ内に回転可能に保たれる。シュラウドは、スロットの一部を画定する長縁で終端する壁部を含む。スロットは、シート状基板の端部を受容するように構成され、仕上げ部材との当該端部の相互作用を容易にする。壁部は、長縁の開口で終端するノズル通路をさらに画定する。管状部材は、長縁から突出し、ノズル通路と流体連通している通路を画定する。ノズル通路に吐出された冷却剤は、真空による交差流が存在しても管状部材を介して仕上げ部材に噴射される。一部の実施形態では、管状部材の空間的配置が調整可能である。
2020500722.tif 000002
【特許請求の範囲】
【請求項１】
シート状基板の縁を処理する装置であって、
前記シート状基板の前記縁を処理する仕上げ部材、
前記仕上げ部材を回転可能に保つチャンバを画定するシュラウドであって、
第一の長縁で終端する第一の壁部、
前記第一の長縁に対向する第二の長縁で終端する第二の壁部を含み、
前記第一の長縁と前記第二の長縁が共同して、前記チャンバに開口したスロットであって、前記仕上げ部材と相互作用する前記シート状基板の前記縁をスライド可能に受容するように構成されたスロットの少なくとも一部を画定し、
さらに、前記第一の壁部が、流体を吐出する第一のノズル通路を画定し、該第一のノズル通路が、前記第一の長縁の第一の開口で終端する、シュラウド、および
前記第一の長縁から突出し、前記第一のノズル通路と流体連通した通路を画定する第一の管状部材であって、冷却剤の流れを、該第一のノズル通路から前記仕上げ部材上に向かわせるように構成された、第一の感情部材
を含む装置。
【請求項２】
前記第一の管状部材が、前記第一の長縁とは反対側の分配端で終端し、該分配端と前記仕上げ部材の間の距離が、該第一の長縁と該仕上げ部材の間の距離未満である、請求項１に記載の装置。
【請求項３】
前記第一の壁部が、互いに反対向きの外面および内面をさらに画定し、前記第一の長縁が、該外面と該内面の間に延在し、該外面および該内面に隣接する、請求項１または２に記載の装置。
【請求項４】
流体を吐出する第二のノズル通路が前記第一の壁部内に画定され、該第二のノズル通路が、前記第一のノズル通路から離間し、前記第一の長縁の第二の開口で終端し、該装置が、該第一の長縁から突出しかつ該第二の開口と流体連通する通路を画定する第二の管状部材をさらに含む、請求項１から３のいずれか一項に記載の装置。
【請求項５】
流体を吐出する第二のノズル通路が前記第二の壁部に画定され、該第二のノズル通路が、前記第二の長縁の第二の開口で終端し、該装置が、該第二の長縁から突出しかつ該第二の開口と流体連通する通路を画定する第二の管状部材をさらに含む、請求項１から３のいずれか一項に記載の装置。
【請求項６】
シート状基板の縁を処理する方法であって、
処理装置のシュラウドのスロットを通して、かつ該シュラウドのチャンバ内に前記シート状基板の前記縁を向かわせるステップであって、該スロットが、該シュラウドの壁部の長縁によって少なくとも部分的に画定される、ステップ、
前記チャンバ内に配置された仕上げ部材によって前記シート状基板の前記縁を処理するステップ、および
前記処理するステップの間、前記長縁から突出している管状部材を介して前記シート状基板の前記縁と前記仕上げ部材の間の接触面に冷却剤の流れを向かわせるステップであって、該管状部材が、前記壁部内に画定されたノズル通路と流体連通した中心通路を画定する、ステップ
を含む方法。
【請求項７】
前記長縁に対する前記管状部材の配置を調整するステップをさらに含む、請求項６に記載の方法。
【請求項８】
前記調整するステップが、前記管状部材の分配端と前記長縁の間の距離を変えるステップを含む、請求項７に記載の方法。
【請求項９】
前記調整するステップが、前記長縁に対する前記管状部材の中心軸の角度関係を変えるステップを含む、請求項７に記載の方法。
【請求項１０】
前記調整するステップが、
前記仕上げ部材の摩耗を監視するステップ、および
前記仕上げ部材の摩耗に基づいて前記長縁に対する前記管状部材の空間的配置を変えるステップ
を含む、請求項７に記載の方法。
【発明の詳細な説明】
【関連出願の相互参照】
【０００１】
本願は、２０１６年１１月２９日に出願された米国仮出願第６２／４２７，２９３号の優先権の利益を主張し、当該米国仮出願の内容を信頼し、下記において全て記載されているものとしてそのまま参照によって本願に援用する。
【技術分野】
【０００２】
本願は、概して、シート状基板の縁を処理する装置および方法に関する。より具体的には、本願は、ガラスシートの縁などの基板の縁を研削または研磨する装置および方法による冷却液の吐出に関する。
【背景技術】
【０００３】
フラットパネルディスプレイにおいて使用されるガラスシートのような高品質の表面仕上げを必要とするガラスシートの処理は、典型的には、ガラスシートを所望の形状に切断し、次にその切断したガラスシートの縁を研削および／または研磨してあらゆる鋭い角を取り除くことを伴う。研削ステップまたは研磨ステップは、例えば、少なくとも仕上げ部材、例えば、研削ホイール、研磨ホイールなどの砥石車を含む仕上げ装置または仕上げ機械によって行うことができる。多くのこのような機械により、仕上げ部材が駆動、例えば、回転され、駆動させた仕上げ部材に仕上げ対象の縁を接触させるようにガラスシートが連続的に運搬される。この縁は、接触点で機械仕上げされる。一部の仕上げ装置は、外周上に溝を有する研削ホイールまたは研磨ホイールなどの、縁の両角を同時に機械仕上げする仕上げ部材を使用している。
【０００４】
高速の処理速度および関連の材料により、ガラスシートと仕上げ部材の接触面には過剰な熱が発生する。したがって、多くのガラス縁仕上げ機械は冷却システムを組み込んでおり、概して、ガラスシートと仕上げ部材の間の接触点の領域の方に冷却剤の流れを向けるように設計されている。冷却剤は、液体、例えば、水である場合が多く、ガラスシートと仕上げ部材の接触面の領域に向かって噴霧または噴射される。
【０００５】
仕上げ部材とガラスシートの必要な冷却を行うことに加えて、吐出された冷却剤は、縁仕上げ処理中に発生した粒子、例えば、ガラスの削り屑を洗い流すように有利に機能する。周囲環境の汚染を防止し、かつ、粒子を除去した後の冷却剤を再利用するために、粒子を含む冷却剤をできるだけ回収することが望ましい。したがって、多くのガラス縁仕上げ機械は、シュラウドまたはハウジング内に仕上げ部材を配置している。シュラウドの内部には真空源が流体連通しており、粒子を含む冷却剤を能動的に除去する。参考までに、シュラウドは、従来、予期されるガラスシートと仕上げ部材の接触面にごく近接した壁またはその他の囲いの機能を提供するように構成されている。したがって、冷却剤供給ラインは、典型的には、シュラウド構造自体の内側に形成され、シュラウド壁の出口オリフィスまたはノズルで終端し、概して、予期されるガラスシートと仕上げ部材の接触面の方に向けられている。通常の動作圧では、冷却剤は、噴流としてシュラウドのオリフィスまたはノズルから出ていく。広く受け入れられている一方、シュラウドおよび真空の使用により、冷却剤の最適な吐出が妨げられる場合がある。シュラウドが成す出口オリフィスは、仕上げ部材に間隙を介して効果的に固定されており、ガラスシートと仕上げ部材の接触面に比較的近いが、この出口オリフィスは、任意の噴射方向を提供するができない。また、真空による空気の高速の交差流により、作用する抗力を通して冷却剤の噴射が乱れ、誤った方向に向かう場合がある。
【発明の概要】
【発明が解決しようとする課題】
【０００６】
したがって、本願では、吐出した冷却剤と組み合わせてガラスシートの縁を仕上げるための代替的な装置および方法を開示する。
【課題を解決するための手段】
【０００７】
本開示の一部の実施形態は、ガラスシートの縁を処理する装置に関する。この装置は、仕上げ部材、シュラウド、および管状部材を含む。この仕上げ部材は、ガラスシートの縁を処理するように構成され、前記シュラウドのチャンバ内に回転可能に保たれる。前記シュラウドは、第一の長縁で終端する第一の壁部および第二の長縁で終端する第二の壁部を含む。これらの長縁は互いに対向し、共同して前記チャンバに開口したスロットの少なくとも一部を画定する。このスロットは、ガラスシートの縁をスライド可能に受容するように構成され、前記仕上げ部材との前記縁の相互作用を容易にする。前記第一の壁部は、さらに、流体を吐出するノズル通路を画定する。このノズル通路は、前記第一の長縁の開口で終端する。最後に、前記管状部材は、前記第一の長縁から突出し、前記ノズル通路と流体連通している通路を画定する。この構成により、前記ノズル通路に吐出される冷却液は、真空による交差流が存在しても前記管状部材を介して前記仕上げ部材に正確に噴射される。一部の実施形態では、前記管状部材は、前記第一の長縁とは反対側の分配端で終端する。一部の実施形態では、前記仕上げ部材と前記分配端の間の距離が、前記仕上げ部材と前記第一の長縁の間の距離未満である。その他の実施形態では、前記第一の長縁に対する前記管状部材の空間的配置が調整可能である。さらに他の実施形態では、前記壁部のうちの一方または両方に一つ以上のさらなるノズル通路が画定され、それらのさらなるノズル通路のそれぞれに一つ以上のさらなる管状部材を連携させる。
【０００８】
本開示のさらに他の実施形態は、ガラスシートの縁を処理する装置に関する。この装置は、仕上げ部材、シュラウド、および管状部材を含む。この仕上げ部材は、ガラスシートの縁を処理するように構成され、前記シュラウドのチャンバ内に回転可能に保たれる。前記シュラウドは、前記チャンバに開口したスロットの少なくとも一部を画定する長縁で終端する壁部を含む。前記スロットは、ガラスシートの縁をスライド可能に受容するように構成され、前記仕上げ部材との前記縁の相互作用を容易にする。前記壁部は、流体を吐出するノズル通路をさらに画定する。このノズル通路は前記長縁の開口で終端する。前記管状部材は、前記壁部に取り外し可能に組み付けられ、前記長縁から突出する。前記管状部材は、前記ノズル通路と流体連通した通路を画定する。一部の実施形態では、前記管状部材は、ねじ接触面または圧入接触面によって前記壁部に取り外し可能に組み付けられる。
【０００９】
本開示のさらに他の実施形態は、ガラスシートの縁を処理する方法に関連する。この方法は、処理装置のシュラウドのスロットを通して当該シュラウドのチャンバ内へと前記ガラスシートの前記縁を向かわせるステップを含む。前記スロットは、前記シュラウドの壁部の長縁によって少なくとも部分的に画定される。前記ガラスシートの前記縁は、前記チャンバ内に配置された仕上げ部材によって処理される。処理するステップの間、前記長縁から突出した管状部材を介して、前記ガラスシートの前記縁と前記仕上げ部材の間の接触面に冷却液の流れを向かわせる。これに関して、前記管状部材は、前記壁部内に画定されたノズル通路と流体連通している中心通路を画定する。本開示の方法により、前記管状部材は、常にかつ有益に前記冷却液を前記接触面に向かわせる。一部の実施形態では、本開示の方法は、例えば、前記仕上げ部材の摩耗に対処するために、前記長縁に対する、したがって前記仕上げ部材に対する前記管状部材の配置を調整するステップをさらに含む。
【００１０】
さらなる特徴および利点は、下記の詳細な説明において述べられることになり、部分的には、その説明から当業者には直ちに明らかになり、または、下記の詳細な説明、特許請求の範囲、および添付の図面を含む、本願に記載の実施形態を実施することによって認識されることになるだろう。
【００１１】
上記の概説および下記の詳細な説明はいずれも様々な実施形態を説明しており、請求される主題の本質および性質を理解するための概観または枠組みを提供することを意図していると理解すべきである。添付の図面は、その様々な実施形態の理解が深まるように含まれており、本明細書に援用され、本明細書の一部を構成する。それらの図面は、本願に記載の様々な実施形態を示し、その説明とともに、請求される主題の原理および動作の解説に役立つものである。
【図面の簡単な説明】
【００１２】
【図１】本開示の原理に係る縁処理装置の斜視図である。
【図２】図１の装置の一部の単純化した断面図である。
【図３】シュラウド壁部および菅状部材を含む、図１の装置の一部を拡大した斜視図である。
【図４Ａ】図３のシュラウド壁部を拡大した斜視図である。
【図４Ｂ】図３の菅状部材を取り除いた図１の装置の一部の上面図である。
【図５】図３の壁部および管状部材を拡大して単純化した断面図である。
【図６】本開示の原理に係る代替的な管状部材を拡大して単純化した断面図であり、図５の壁部に組み付けられている。
【図７】図１の装置の一部を単純化した上面図である。
【図８Ａ】図１の装置の一部を拡大して単純化した断面図であり、管状部材のない冷却剤吐出流パターンを示す。
【図８Ｂ】図１の装置の一部を拡大して単純化した断面図であり、管状部材のある冷却剤吐出流パターンを示す。
【図９Ａ】本開示の原理に係る別の縁処理装置の一部を拡大して単純化した断面図であり、一部をブロック形態で示す。
【図９Ｂ】図９Ａの装置を拡大して単純化した断面図であり、図９Ａの配置とは異なる当該装置の管状部材部品の代替的な配置を示す。
【図９Ｃ】図９Ａの装置を拡大して単純化した断面図であり、図９Ａおよび図９Ｂの配置とは異なる管状部材部品の別の代替的な配置を示す。
【図１０】ガラスシートを処理する際の図１の装置を含むガラス縁処理システムの一部を単純化した上面図である。
【図１１】前記装置によって処理されているガラスシートの縁を含む、図１０のシステムの一部を拡大して単純化した断面図である。
【発明を実施するための形態】
【００１３】
これから、ガラスシートの縁などのシート状基板の縁を処理する装置および方法の様々な実施形態を詳細に参照する。可能な場合は常に、同一または類似の部分を指すために全図面を通して同一の参照番号を用いる。
【００１４】
ガラスシートの縁を処理するための本開示の原理に係る装置１０の一実施形態が図１に示されている。装置１０は、本願ではガラスシートの縁を研削または研磨するために使用されるものとして説明するが、装置１０および本開示のその他の実施形態の装置は、ポリマー、例えば、Ｐｌｅｘｉ−ｇｌａｓｓ（商標）、金属、またはその他のシート状基板などのその他の種類の材料を処理するために使用することもできると理解すべきである。したがって、本開示の装置１０は、限定的な意味に解釈すべきではない。
【００１５】
装置１０は、仕上げ部材１２およびシュラウド１４を含む。参考までに、シュラウド１４の一部は、図１において、シュラウド１４内に配置された仕上げ部材１２などの部品を図示するために部分的に透明なものとして描かれている。大まかに言えば、仕上げ部材１２は、シュラウド１４によって画定される、総体的に参照されるチャンバ１６内で回転可能に保たれ、ガラスシートの縁を処理、例えば、研削または研磨するように構成されている。また、下記により詳細に説明するように、装置１０は、仕上げ部材１２の表面上にまたはその表面に向かって冷却剤を吐出するための図示しない一つ以上の管状部材を含む冷却液吐出システムを組み込んでいる。これに関して、装置１０は、一つ以上の流入ポート１８を含むことができ、流入ポート１８には、加圧冷却剤源を流体連通させることができる。
【００１６】
仕上げ部材１２は、様々な形態をとることができ、一部の実施形態では、ガラスシートの縁を機械仕上げするのに適していることが当業者に知られている種類の砥石車、例えば、研削ホイール、研磨ホイールなどである。非限定的な例として、仕上げ部材１２は、研磨粒子または研磨媒体を埋め込みまたは担持したボンドホイールとすることができる。一部の実施形態では、仕上げ部材１２は、その外周に所望の断面の一つ以上の溝を形成することができる。仕上げ部材１２は、モータ２０によって駆動、例えば、回転させることができ、そのモータ２０はシュラウド１４に取り付けられるか、シュラウドに対して支持される。
【００１７】
シュラウド１４は、様々な形式をとることができ、一部の実施形態では、共同でチャンバ１６を画定するカバー３０およびベース３２を含むことができる。この任意の構成を有する場合、カバー３０は、チャンバ１６を選択的に開けることができるように、ヒンジ３４などによってベース３２に旋回可能に取り付けることができ、例えば、図１は、ベース３２に対して閉じた位置にあるカバー３０を示しており、カバー３０は、チャンバ１６を開けることが望まれるときにベース３２から離れるように選択的に旋回することができる。一部の実施形態では、シュラウド１４は、三つ以上の部品によって画定することができ、その他の実施形態においては、シュラウド１４は、均質な構成または一体的な構成を有することができる。いずれにせよ、シュラウド１４は、一部の実施形態では、総体的に参照される排出路３８を画定する排出ダクト３６をさらに含むまたは設けることができる。排出路３８は、チャンバ１６に流体連通している。さらに、排出ダクト３６は、図示しない真空源に流体接続するように構成され、この真空源の動作により、排出路３８を介してチャンバ１６内は陰圧または真空になる。あるいは、シュラウド１４は、チャンバ１６から流体を排出するためのその他の構造または機能を組み込むことができる。
【００１８】
厳密な構成にかかわらず、また図１に示すように、シュラウド１４の形状または占有面積は、図１で指定したＸ、Ｙ、Ｚ座標系によって定義されるような少なくともＸ−Ｙ平面において仕上げ部材１２の周囲形状を模倣することができる。したがって、一部の実施形態では、シュラウド１４は、円形の仕上げ部材１２に比較的近く対応した、Ｘ−Ｙ平面における略円形の形状を有する。その他の形状も考えられる。
【００１９】
図２の非常に単純化した断面図に示すように、シュラウド１４は、チャンバ１６に対して開口したスロット４０を形成する。理解を深めるために、図１でもスロット４０の大体の位置が特定されている。スロット４０は、概して、図示しないガラスシートの縁をスライド可能に受容するような構成、例えば、大きさおよび形状を有し、これにより、その縁はチャンバ１６に入り、仕上げ部材１２と相互作用することができる。図２には排出路３８も大まかに示されている。
【００２０】
スロット４０は、様々な方法でシュラウド１４によって形成することができる。一部の実施形態では、シュラウド１４は、共同でスロット４０の少なくとも一部の周囲を形成する第一および第二の壁部５０、５２を含むまたは画定するものとみなすことができる。第一および第二の壁部５０、５２は、異なる形態で設けることができ、例えば、第一の壁部５０は、カバー３０（図１）の一部とすることまたはカバー３０に取り付けることができ、第二の壁部５２は、ベース３２（図１）の一部とすることまたはベース３２に取り付けることができる。他の実施形態では、第一および第二の壁部５０、５２は、単一の均質な構造の一部として一体的に形成することができる。いずれにせよ、第一の壁部５０は第一の長縁６０で終端する。第二の壁部５２は第二の長縁６２で終端する。第一および第二の長縁６０、６２がそれぞれスロット４０の周囲の少なくとも一部を画定する状態で、第一の長縁６０が第二の長縁６２に対向しかつ第二の長縁６２から離間しているように壁部５０、５２は配置されている。一部の実施形態では、長縁６０、６２の一方または両方は、対応する壁部５０、５２の残りの部分に対するＹ−Ｚ平面の面取り部を含むことができる（例えば、図３を参照）。例えば、第一の壁部５０は、外面７０および内面７２を画定するものとみなすことができる。第一の長縁６０は、外面７０と内面７２に隣接する移行縁を表し、面７０、７２の両方と直角ではない角度を形成する。スロット４０の中心平面Ｐに関して、任意の面取り配置は、中心平面Ｐに対して非垂直かつ非平行である第一の長縁６０と説明することができる。その代わりに、またはそれに加えて、任意の面取り配置は、外面７０から内面７２まで延在しながら中心平面Ｐから離れるように突出する第一の長縁６０と説明することができる。第二の長縁６２は、第二の壁部５２の対応する外面と内面の間で延在している類似または同一の面取り構成を有することができる。最後に、下記で明らかになる理由から、装置１０には、総体的に参照される一つ以上の管状部材８０が設けられており、第一および第二の長縁６０、６２の一方または両方から突出している。
【００２１】
シュラウド壁部５０、５２は、総体的に参照される管状部材８０とともに、シュラウド１４の残りの部分から切り離して図３により詳細に示す。壁部５０、５２の一方または両方は、少なくとも一つのノズル通路を画定する。例えば、図３の非制限的な実施形態では、第一の壁部５０は、第一のノズル通路９０ａ、第二のノズル通路９０ｂ、および第三のノズル通路９０ｃをそれぞれ画定し、第二の壁部５２は、第一のノズル通路９２ａ、第二ノズル通路９２ｂ、および第三のノズル通路９２ｃをそれぞれ画定する。任意のその他の数のノズル通路を等しく受け入れ可能であり、三つより多くても少なくてもよく、例えば、第一の壁部５０に一つ以上のノズル通路を設けることができ、第二の壁部５０からは任意のノズル通路を排除することができ、またはその逆も可能である。すなわち、本開示は、各壁部５０、５２に対して三つのノズル通路に制限されない。設けられる厳密な数にかかわらず、ノズル通路９０ａから９０ｃ、９２ａから９２ｃは、それぞれ流体、例えば、冷却剤または冷却液を輸送または吐出するように構成され、それぞれ、対応する壁部５０、５２の長縁６０、６２の開口で終端することができる。例えば、管状部材８０を除去した状態で単独で壁部５０、５２を別様に示す図４Ａをさらに参照すると、第一の壁部５０の第一のノズル通路９０ａは、第一の長縁６０の第一の開口１００ａで終端している。第一の開口１００ａは、加圧流体が通路９０ａから出ていくノズル状のオリフィスとして機能する。第一の開口１００ａの平面または形状は、第一の長縁６０の平面または形状に対応しており、例えば、第一の開口１００ａは、第一の長縁６０の任意の面取り配置をなぞるまたは模倣している。言い換えれば、第一の長縁６０は、連続的で比較的平滑または平坦な表面とすることができ、第一の開口１００ａは、この連続的で比較的平滑または平坦な表面に形成される。しかし、第一の壁部５０の任意で湾曲させた形状により、すなわち、図１に関して上記したように、シュラウド１４が、仕上げ部材１２の外周の曲率を模倣することができ、第一の壁部５０が任意でこの同じ曲率を組み込んでいることにより、第一の長縁６０もＸ−Ｙ平面において湾曲することが分かるだろう。
【００２２】
第一の壁部５０の第二および第三のノズル通路９０ｂ、９０ｃは、上記のように第一のノズル通路９０ａと実質的に同一とすることができ、第二のノズル通路９０ｂは、第一の長縁６０の第二の開口１００ｂで終端し、第三のノズル通路９０ｃは、第一の長縁６０の第三の開口１００ｃで終端している。第一の壁部５０のノズル通路９０ａから９０ｃは、互いに離間している。Ｘ−Ｙ平面における第一の長縁６０の任意で湾曲させた形状により、それぞれの開口１００ａから１００ｃの中心線ＣＬ１からＣＬ３、したがって開口１００ａから１００ｃの各々によって得られる噴霧方向が、一部の実施形態において、管状部材８０（図３）を取り除いた状態で装置１０の一部を別様に示す図４Ｂで表すような仕上げ部材１２の中心で概して交差するように、開口１００ａから１００ｃは、Ｘ−Ｙ平面における第一の長縁６０の曲率に沿って互いに半径方向にずらすことができる。
【００２３】
図３および図４Ａを引き続き参照すると、第二の壁部５２のノズル通路９２ａから９２ｃは、上記したような第一の壁部５０のノズル通路９０ａから９０ｃに類似または同一とすることができる。したがって、第一のノズル通路９２ａは、第二の長縁６２の第一の開口１０２ａで終端することができ、第二のノズル通路９２ｂは、第二の長縁６２の第二の開口１０２ｂで終端することができ、第三のノズル通路９２ｃは、第二の長縁６２の第三の開口１０２ｃで終端することができる。壁部５０、５２は、最終的な組立時に、第一の壁部の開口１００ａから１００ｃのそれぞれを第二の壁部の開口１０２ａから１０２ｃのそれぞれとＺ方向に概して整列させるように配置することができ、例えば、第一の壁部５０の第一の開口１００ａは、第二の壁部５２の第一の開口１０２ａとＺ方向に整列させるなどである。その他の実施形態では、第一および第二の壁部５０、５２のノズル通路９０ａから９０ｃ、９２ａから９２ｃおよび／または開口１００ａから１００ｃ、１０２ａから１０２ｃは、形状および／または位置に関して互いに異なってもよい。
【００２４】
図３を特に参照すると、管状部材８０の各々は、下記で詳述するように、対応するノズル通路の延長部として機能する。管状部材８０の各々の材料および寸法が、予期される動作条件下で選択した空間定位または所望の空間定位を維持するように選択されることで、管状部材８０は、構造的に頑丈な構成を有することができ、例えば、管状部材８０は、真空による交差流に関連する抗力を受けるときに過度に撓まないようにシュラウド１４（図１）に対して形成および組み付けが行われる。例えば、管状部材８０は、プラスチック、金属、例えば、真鍮、硬化ゴムなどから形成することができる。
【００２５】
一部の実施形態において、シュラウド１４（図１）と連携したノズル通路の開口ごとに一つの管状部材が設けられる。したがって、例えば、第一の管状部材１１０ａ、第二の管状部材１１０ｂおよび第三の管状部材１１０ｃは、それぞれ、第一の壁部５０のノズル通路開口９０ａから９０ｃの対応する一つとそれぞれ連携させることができ、第一の管状部材１１２ａ、第二の管状部材１１２ｂおよび第三の管状部材１１２ｃは、第二の壁部５２のノズル通路開口９２ａから９２ｃの対応する一つとそれぞれ連携させることができる。その他の実施形態では、利用可能なノズル通路開口の全てではなくそのうちのいくつかに対して一つの管状部材が設けられてもよい。さらに他の実施形態では、本開示の装置は、管状部材８０をひとつしか含まなくてもよい。壁部５０、５２の各々に対して三つのノズル通路および三つの管状部材を図示および説明したが、本開示の実施形態は、任意のその他の数を使用することができ、三つより多くても少なくてもよい。
【００２６】
図５に示すような第一の管状部材１１０ａに関する下記の解説が、残りの管状部材１１０ｂ、１１０ｃ、１１２ａから１１２ｃに等しく適用されるように、一部の実施形態では、管状部材１１０ａから１１０ｃ、１１２ａから１１２ｃを類似とすることができる。参考までに、図５は、第一の壁部５０の外面７０および内面７２を特定し、第一のノズル通路９０ａを、外面７０と内面７２の間の第一の壁部５０の厚み内に形成することができることを示す。一部の非制限的な実施形態では、第一のノズル通路９０ａの中心の長手軸ＣＡは、外面７０および内面７２と平行に延在することができる。第一の壁部５０または第二の壁部５２（図２）がノズル通路、例えば、ノズル通路９０ａから９０ｃ、９２ａから９２ｃ（図３）のうちの二つ以上を提供する実施形態により、対応する壁部の外面および内面に対する対応する中心の長手軸のこの任意の平行な配置は、ノズル通路のいくつかまたは全てに対して行うことができる。
【００２７】
管状部材１１０ａは、対向する入口端１２２ａおよび分配端１２４ａに対して開口した中心通路１２０ａを画定する管状体である。管状部材１１０ａは、管状部材１１０ａが第一の長縁６０から突出するように、第一の壁部５０と連携し、中心通路１２０ａは、入口端１２２ａを介して第一のノズル通路９０ａと流体連通している。例えば、入口端１２２ａは、総体的に参照される開口１００ａを介して第一のノズル通路９０ａに挿入することができ、例えば、管状部材１１０ａの外径は、開口１００ａの直径に近似している。あるいは、入口端１２２ａは、中心通路１２０ａを開口１００ａと整列させた状態で、第一の長縁６０の面に対して組み付けることができる。第一の壁部５０への管状部材１１０ａの組み付けまたは取り付けは、ねじ接触面、圧入、接着剤による接着、溶接などを含むがそれらに限定されない当業者には明らかな様々な方法で行うことができる。関連の実施形態では、本開示の管状部材１１０ａなどの管状部材は、既存のガラス縁処理装置に組み付けるまたは追加することができる。第一の壁部５０と管状部材１１０ａの間の接触面における流体密封止をより向上させるために、図示しないガスケットまたはその他のシーリング部品を任意で設けることができる。さらに他の実施形態では、管状部材１１０ａは、第一の壁部５０の一体形成部品である。いずれにせよ、管状部材１１０ａは、第一の長縁６０の開口１００ａからノズル通路９０ａを効果的に延長し、ノズル通路９０ａに吐出された加圧流体が分配端１２４ａから出ていく。管状部材１１０ａは略線形または直線形のものとして図示されているが、他の実施形態では、湾曲した幾何学的形状または曲線的な幾何学的形状にすることができ、その非制限的な例が、図６の管状部材８０‘に関して示されている。
【００２８】
図３に戻ると、対応する長縁６０、６２から延在している各管状部材１１０ａから１１０ｃ、１１２ａから１１２ｃの寸法、幾何学的形状および空間的配置は同一である必要はなく、装置１０（図１）の動作パラメータに従って選択することができる。例えば、図７の単純化した上面の断面図は、仕上げ部材１２に対して第一の壁部５０の第一の長縁６０から突出する管状部材１１０ａから１１０ｃの非制限的な例を示す。図示のように、第一および第三の管状部材１１０ａ、１１０ｃの長さおよび角度定位は、第二の管状部材１１０ｂのものとは異なっている。この一つの考え得る配置により、管状部材１１０ａから１１０ｃによって開設されるそれぞれの流路Ｑ１からＱ３のおおよその交点は、仕上げ部材１２の周囲または外周になり、その結果、仕上げ作業において仕上げ部材１２と図示しないガラスシートの縁の間の予期される接触点に集束して冷却が行われる。比較として、また図４Ｂを相互参照すると、図４Ｂは管状部材を除去した状態で装置１０の一部を示していることが思い出されるが、管状部材１１０ａから１１０ｃがなければ、開口１００ａから１００ｃの各々から出ていく冷却剤の流れは、個別の箇所で仕上げ部材１２の周囲または外周と相互作用することになり、その結果、仕上げ部材１２とガラスシートの間の予期される接触点の冷却の効果が低下する。一つ以上の管状部材１１０ａから１１０ｃの第一の長縁６０に対する大きさ、形状および／または空間的配置によって生じる流路Ｑ１からＱ３は、対応する開口１００ａから１００ｃの中心線ＣＬ１からＣＬ３とは異なる。
【００２９】
図４Ｂと図７の比較によって明らかになるさらなる利益は、管状部材１１０ａから１１０ｃの各々の分配端１２４ａから１２４ｃが、対応する開口１００ａから１００ｃと比べて、仕上げ部材１２に物理的により近いということである。その結果、吐出または噴射された冷却剤の流れが崩壊しにくくなる。例えば、図８Ａは、第一の管状部材１１０ａ（図７）を取り除いた状態の仕上げ部材１２に対する第一のノズル通路９０ａを示す。第一の間隙Ｇ１は、開口１００ａと仕上げ部材１２の間の直線距離と定義する。第一のノズル通路９０ａに提供される加圧流体流（冷却剤）Ｑ１が矢印で表されており、まず、仕上げ部材１２と図示しないガラスシートの間の予期される接触点に向けられた集束した噴霧または噴射として開口１００ａから出ていく。典型的なガラスシートの縁仕上げ、例えば、研削または研磨の条件下では、仕上げ部材１２は高速で回転し、空気を取り込み、仕上げ部材の周りに高速の空気の障壁を創出する。さらに、上記したように、粒子を含む流体を除去するために、総体的に参照されるチャンバ１６の外側の周囲圧力に対する陰圧、例えば、真空がチャンバ１６内に生じる。その結果、典型的には、真空による空気の高速の交差流が存在し、作用する抗力を通して流体流噴射Ｑ１を乱し、誤った方向に向かわせる場合がある。このようにして流体流Ｑ１は崩壊し、仕上げ部材１２に到達したときはあまり集束していなくなる。この起こり得る影響を図８Ａに概略的に示す。一方、図８Ｂは、図８Ａと同じ配置を示しているが、管状部材１１０ａが含まれている。分配端１２４ａと仕上げ部材１２の間には第二の間隙Ｇ２が開設されている。第二の間隙Ｇ２の距離は、第一の間隙Ｇ１（図８Ａ）未満である。第一のノズル通路９０ａに提供される加圧流体流Ｑ１は、この場合も同様に矢印で表されており、仕上げ部材１２にごく近接して、したがって仕上げ部材１２と図示しないガラスシートの間の予期される接触点にごく近接して、集束した噴霧または噴射として分配端１２４ａから出ていく。管状部材１１０ａは、上記の交差流抗力から流体流Ｑ１を保護する。可能な限り仕上げ部材１２の近くで流体流Ｑ１を噴射することにより、加圧流体流Ｑ１の速度が維持され、したがって、仕上げ部材１２の周りに創出される空気の障壁をより容易に破壊することができる。その結果、流体流Ｑ１は、仕上げ部材１２に到達したときに、図８Ａの場合よりも集束している。
【００３０】
図３に戻ると、管状部材１１０ａから１１０ｃ、１１２ａから１１２ｃの大きさ、形状、またはその他の物理的な特性は互いに異なっていてもよく、特定の最終用途に合うように仕上げ部材１２（図１）に対する対応する分配端（例えば、図３では第一の管状部材１１０ａに対してラベル付けされている分配端１２４ａ）の所望の空間的位置に基づいて個別に選択することができる。一部の実施形態では、管状部材１１０ａから１１０ｃ、１１２ａから１１２ｃのうちの一つ、二つ以上、または全てが、対応する壁部５０、５２に対して取り外し可能に組み付けられる。この構成により、管状部材１１０ａから１１０ｃ、１１２ａから１１２ｃのうちのいくつかまたは全部を、予期される動作条件が変わるときに交換することができる。例えば、管状部材１１０ａから１１０ｃ、１１２ａから１１２ｃの各々の有益な長さは、仕上げ部材１２の直径または大きさ（例えば、経時的に、仕上げ部材１２は摩耗し、外径が減る場合がある、異なる仕上げ動作により異なる構成または寸法の仕上げ部材の使用が必要になるなど）、特定の仕上げ用途に関する仕上げ部材１２の回転速度、仕上げ装置１０（図１）に対する基板が移動する速度などに応じて変えることができる。
【００３１】
他の実施形態において、本開示の装置は、管状部材の空間定位を自動的に調整または変更するように構成することができる。例えば、図９Ａは、本開示の原理に係る別の実施形態の仕上げ装置２００の一部を単純化した形態で示す。装置２００は、上記の装置１０（図１）に非常に類似したものとすることができ、シュラウド２０２、図示しないが上記の仕上げ部材１２（図１）に類似した仕上げ部材、少なくとも一つの管状部材２０４、アクチュエータ２０６、およびコントローラ２０８を含む。大まかに言えば、管状部材２０４は、シュラウド２０２のセグメントから突出しており、アクチュエータ２０６によって空間的に操作されるように構成されている。コントローラ２０８は、アクチュエータ２０６に電子的に連結されており、選択した方法でアクチュエータ２０６の動作を促すように構成（例えば、プログラム）されている。
【００３２】
シュラウド２０２は、シュラウド１４（図１）に関して上記した形式または特徴のうちのいずれを有していてもよく、図示しないガラスシートをスライド可能に受容することができる、総体的に参照されるスロット２２４の少なくとも一部を画定する長縁２２２で終端する壁部２２０を含む。壁部２２０にはノズル通路２２６が画定されている。
【００３３】
管状部材２０４は、長縁２２２の開口を介してノズル通路２２６と接続しかつ流体連通しており、分配端２３２に開口した中心通路２３０を画定している。図９Ａの実施形態により、長縁２２２に対する、したがって図示しない仕上げ部材に対する分配端２３２の空間的な位置または配置が調整可能である。一部の実施形態では、管状部材２０４は、例えば、図９Ａによって示唆される伸縮構成を介して長さを伸長可能かつ収縮可能なように構成される。ベローズ状部品、関節式連結機構などによるその他の伸長可能かつ収縮可能な構成も考えられる。さらに他の実施形態では、管状部材２０４と壁部２２０の間の接続形式は、長縁２２２に対する管状部材２０４の選択的な延長／収縮を可能にするように構成することができ、例えば、管状部材２０４は、壁部２２０にスライド可能に取り付けることができる。いずれにせよ、管状部材２０４は、図９Ａにおいて矢印「Ｌ」で示す方向に長縁２２２に対して分配端２３２を延長または収縮するように関節式に連結することができる。図９Ｂは、延長配置にある管状部材２０４の一例を示しており、すなわち、図９Ａの配置と比べて、分配端２３２が長縁２２２から離れるように移動されている。
【００３４】
延長および収縮を行うことに加え、またはその代わりに、管状部材２０４および／または管状部材２０４と壁部２２０の間の接続形式は、長縁２２２に対する分配端２３２の横断方向の偏向または関節式連結を可能にするように構成される。例えば、管状部材２０４と壁部２２０の間には、ヒンジ接続部または旋回接続部、例えば、ボールジョイントを設置することができる。その代わりに、またはそれに加えて、管状部材２０４は、互いに枢動可能に接続される、フレキシブルであるなどの複数の部品または部分からなることができる。いずれにせよ、管状部材２０４は、概して図９Ａに矢印「Ｔ」で示すような長縁２２２に対して任意の横断方向に分配端２３２を偏向させるように関節式に連結することができる。図９Ｃは、図９Ｂの配置と比較して、横断方向に関節式に連結した配置における管状部材２０４の一例を示す。
【００３５】
図９Ａに戻ると、アクチュエータ２０６は、長縁２２２に対して管状部材２０４を調整するのに適した様々な形態をとることができ、管状部材２０４の具体的な設計に応じて変わるだろう。例えば、アクチュエータ２０６は、サーボモータの動作により、管状部材２０４の少なくとも一つの部品が別の部品に対して移動するように、管状部材２０４の一つ以上の部品に機械的に連結したサーボモータとすることができ、または当該サーボモータを含むことができる。その他のアクチュエータ形式、例えば、油圧式アクチュエータ、空気圧式アクチュエータなども等しく受け入れ可能である。装置２００が複数の管状部材２０４を含む場合、管状部材２０４の各々に対して別々のアクチュエータ２０６を設けることができる。
【００３６】
コントローラ２０８は、コンピュータまたはコンピュータ型デバイス、例えば、プログラマブルロジックコントローラとすることができ、または当該コンピュータまたはコンピュータ型デバイスを含むことができる。コントローラ２０８は、プロセッサ、および当該プロセッサに通信可能に結合されたメモリを含むことができる。このメモリにはコンピュータ可読命令セットを記憶することができ、プロセッサによって実行されると、少なくともアクチュエータ２０６に命令を出すことによって、長縁２２２に対する分配端２３２の空間的位置を修正する。コントローラ２０８は、任意で、所定の方法でアクチュエータ２０６の動作を促すようにプログラムされており、例えば、ハードウェア、ソフトウェア、電気回路部品である。例えば、コントローラ２０８は、前記仕上げ部材の特定の形式、例えば、大きさ、溝の数などに基づいて、前記仕上げ部材の予期される摩耗または検知された摩耗に基づいてなど、所定の方法で管状部材２０４を延長または収縮させるようにアクチュエータ２０６を促すようにプログラムすることができる。一部の実施形態では、コントローラ２０８は、長縁２２２に対する分配端２３２の所定の空間的位置を前記仕上げ部材の動作時間と相関させる一つ以上のアルゴリズムおよび／またはルックアップテーブルを用いてプログラムすることができ、例えば、新たな仕上げ部材が最初に設置されるとき、このアルゴリズムおよび／またはルックアップテーブルは、分配端２３２の第一の空間的位置を特定し、基板の縁を仕上げるために当該仕上げ部材が使用された第一の期間の後、当該アルゴリズムおよび／またはルックアップテーブルは、概して前記第一の空間的位置よりも長縁２２２から遠い分配端２３２の第二の空間的位置を特定し、基板の縁を仕上げるために当該仕上げ部材がさらに使用された次の第二の期間後、当該アルゴリズムおよび／またはルックアップテーブルは、概して前記第二の空間的位置よりも長縁２２２から遠い分配端２３２の第三の空間的位置を特定する、などである。その他の実施形態では、コントローラ２０８は、ユーザが管状部材２０４の所望の空間的配置を選択することができるユーザ入力デバイスを含むことができ、または当該ユーザ入力デバイスからなることができる。コントローラ２０８は、有線接続または無線接続によってアクチュエータ２０６に電子的に接続することができる。一部の実施形態では、コントローラ２０８は、装置２００のその他の動作および／または装置２００が設置される仕上げシステムのその他の動作を制御するように作動するコントローラとすることができる。
【００３７】
図１に戻ると、本開示の方法は、ガラスシートの縁などの基板の縁を処理するように装置１０を作動させるステップを含む。一部の実施形態では、また図１０をさらに参照すると、技術的に既知の種類の輸送デバイス３０２をさらに含む縁処理システム３００の一部として一つ以上の縁処理装置１０を設けることができる。輸送デバイス３０２は、縁処理装置１０に向かってガラスシート３０４またはその他の基板を輸送するように作動する。ガラスシート３０４が図１０の矢印で示す方向に引き続き輸送されると、ガラスシート３０４の縁３０６が、総体的に参照されるスロット４０を介してシュラウド１４に入る。一部の実施形態では、システム３００は、ガラスシート３０４の反対側の縁３０８を処理するため、装置１０の下流でのさらなる縁処理のためなどの、一つ以上のさらなる処理装置を含むことができる。いずれにせよ、また図１１を参照すると、シュラウド１４に入ると、縁３０６は仕上げ部材１２と接触し、仕上げ部材１２は、その一方で所望の処理、例えば、研削、研磨などを達成するように駆動、例えば、回転している。同時に、矢印で表されている冷却剤の流れＱ１がノズル通路９０ａに吐出される。冷却剤の流れＱ１は、管状部材１１０ａの中心通路１２０ａから押し出され、次に、分配端１２４ａを介して仕上げ部材１２と縁３０６の間の接触面３１０に向けられるまたは噴射される。冷却剤は、図示しないその他の管状部材が設けられている場合は、その他の管状部材からも接触面３１０に噴射することができる。本開示の方法は、さらに、上記のような長縁６０に対する、したがって仕上げ部材１２に対する管状部材１１０ａの空間的配置を周期的に調整するステップを任意で含む。一部の実施形態では、管状部材１１０ａの調整は、仕上げ部材１２の摩耗に応じて自動的に行われる。
【００３８】
本願に記載の実施形態には、請求する主題の範囲から逸脱することなく、様々な修正および変形が可能である。したがって、本明細書は、本願に記載の様々な実施形態の修正および変形が添付の請求項およびそれらの均等物の範囲内であれば、そのような修正および変形を包含することを意図している。
【００３９】
以下、本発明の好ましい実施形態を項分け記載する。
【００４０】
実施形態１
シート状基板の縁を処理する装置であって、
前記シート状基板の前記縁を処理する仕上げ部材、
前記仕上げ部材を回転可能に保つチャンバを画定するシュラウドであって、
第一の長縁で終端する第一の壁部、
前記第一の長縁に対向する第二の長縁で終端する第二の壁部を含み、
前記第一の長縁と前記第二の長縁が共同して、前記チャンバに開口したスロットであって、前記仕上げ部材と相互作用する前記シート状基板の前記縁をスライド可能に受容するように構成されたスロットの少なくとも一部を画定し、
さらに、前記第一の壁部が、流体を吐出する第一のノズル通路を画定し、当該第一のノズル通路が、前記第一の長縁の第一の開口で終端する、シュラウド、および
前記第一の長縁から突出し、前記第一のノズル通路と流体連通した通路を画定する第一の管状部材
を含む装置。
【００４１】
実施形態２
前記第一の管状部材が、前記第一のノズル通路からの冷却剤の流れを前記仕上げ部材に向かわせるように構成される、実施形態１に記載の装置。
【００４２】
実施形態３
前記第一の管状部材が、前記第一の長縁とは反対側の分配端で終端し、当該分配端と前記仕上げ部材の間の距離が、当該第一の長縁と当該仕上げ部材の間の距離未満である、実施形態１に記載の装置。
【００４３】
実施形態４
前記第一の壁部が、互いに反対向きの外面および内面をさらに画定し、前記第一の長縁が、当該外面と当該内面の間に延在し、当該外面および当該内面に隣接する、実施形態１に記載の装置。
【００４４】
実施形態５
前記第一のノズル通路が、前記外面と前記内面の間の前記第一の壁部の厚み内に画定される、実施形態４に記載の装置。
【００４５】
実施形態６
前記第一の長縁が、前記第一の壁部の残りの部分に対して面取りされている、実施形態１に記載の装置。
【００４６】
実施形態７
前記第一の長縁に対する前記第一の管状部材の配置が調整可能である、実施形態１に記載の装置。
【００４７】
実施形態８
前記第一の管状部材に連結され、前記第一の長縁に対して当該第一の管状部材を調整するように構成されたアクチュエータをさらに含む、実施形態７に記載の装置。
【００４８】
実施形態９
前記第一の管状部材が、前記第一の壁部に対して取り外し可能に組み付けられる、実施形態１に記載の装置。
【００４９】
実施形態１０
流体を吐出する第二のノズル通路が前記第一の壁部内に画定され、当該第二のノズル通路が、前記第一のノズル通路から離間し、前記第一の長縁の第二の開口で終端し、当該装置が、当該第一の長縁から突出しかつ当該第二の開口と流体連通する通路を画定する第二の管状部材をさらに含む、実施形態１に記載の装置。
【００５０】
実施形態１１
流体を吐出する第二のノズル通路が前記第二の壁部に画定され、当該第二のノズル通路が、前記第二の長縁の第二の開口で終端し、当該装置が、当該第二の長縁から突出しかつ当該第二の開口と流体連通する通路を画定する第二の管状部材をさらに含む、実施形態１に記載の装置。
【００５１】
実施形態１２
前記シュラウドが、前記チャンバと流体連通した排出通路であって、当該排出通路に施された真空が存在するときに当該チャンバから汚染物質を除去する排出通路をさらに画定する、実施形態１に記載の装置。
【００５２】
実施形態１３
シート状基板の縁を処理する装置であって、
前記シート状基板の前記縁を処理する仕上げ部材、
前記仕上げ部材を回転可能に保つチャンバを画定するシュラウドであって、
長縁で終端する壁部であって、当該長縁が、前記チャンバに開口しかつ前記仕上げ部材と相互作用するために前記シート状基板の前記縁をスライド可能に受容するように構成されたスロットの少なくとも一部を画定し、当該壁部が、流体を吐出するノズル通路を画定し、当該ノズル通路が当該長縁の開口で終端する、壁部
を含むシュラウド、および
前記壁部に取り外し可能に組み付けられ、前記長縁から突出する管状部材であって、前記ノズル通路と流体連通する通路を画定する管状部材
を含む装置。
【００５３】
実施形態１４
前記管状部材が、ねじ接続部と圧入接続部のうちの少なくとも一方によって前記壁部に取り外し可能に組み付けられる、実施形態１３に記載の装置。
【００５４】
実施形態１５
シート状基板の縁を処理する方法であって、
処理装置のシュラウドのスロットを通して、かつ当該シュラウドのチャンバ内に前記シート状基板の前記縁を向かわせるステップであって、当該スロットが、当該シュラウドの壁部の長縁によって少なくとも部分的に画定される、ステップ、
前記チャンバ内に配置された仕上げ部材によって前記シート状基板の前記縁を処理するステップ、および
前記処理するステップの間、前記長縁から突出している管状部材を介して前記シート状基板の前記縁と前記仕上げ部材の間の接触面に冷却剤の流れを向かわせるステップであって、当該管状部材が、前記壁部内に画定されたノズル通路と流体連通した中心通路を画定する、ステップ
を含む方法。
【００５５】
実施形態１６
前記長縁に対する前記管状部材の配置を調整するステップをさらに含む、実施形態１５に記載の方法。
【００５６】
実施形態１７
前記調整するステップが、前記管状部材の分配端と前記長縁の間の距離を変えるステップを含む、実施形態１６に記載の方法。
【００５７】
実施形態１８
前記調整するステップが、前記長縁に対する前記管状部材の中心軸の角度関係を変えるステップを含む、実施形態１６に記載の方法。
【００５８】
実施形態１９
前記調整するステップが、
前記仕上げ部材の摩耗を監視するステップ、および
前記仕上げ部材の摩耗に基づいて前記長縁に対する前記管状部材の空間的配置を変えるステップ
を含む、実施形態１６に記載の方法。
【００５９】
実施形態２０
前記監視するステップが、前記長縁に対する前記管状部材の前記空間的配置における変更を促すようにプログラムされたソフトウェア上で動作するコンピュータデバイスによって行われる、実施形態１９に記載の方法。
【符号の説明】
【００６０】
１０  縁処理装置
１２  仕上げ部材
１４、２０２  シュラウド
１６  チャンバ
１８  流入ポート
２０  モータ
３０  カバー
３２  ベース
３４  ヒンジ
３６  排出ダクト
３８  排出路
４０、２２４  スロット
５０、５２、２２０  壁部
６０、６２、２２２  長縁
７０  外面
７２  内面
８０、８０‘、１１０ａ、１１０ｂ、１１０ｃ、１１２ａ、１１２ｂ、１１２ｃ、２０４  管状部材
９０ａ、９０ｂ、９０ｃ、９２ａ、９２ｂ、９２ｃ、２２６  ノズル通路
１００ａ、１００ｂ、１００ｃ、１０２ａ、１０２ｂ、１０２ｃ  開口
１２０ａ、２３０  中心通路
１２２ａ  入口端
１２４ａ、１２４ｂ、１２４ｃ、２３２  分配端
２００  仕上げ装置
２０６  アクチュエータ
２０８  コントローラ
３００  縁処理システム
３０２  輸送デバイス
３０４  ガラスシート
３０６、３０８  ガラスシートの縁
３１０  接触面
ＣＡ  中心の長手軸
ＣＬ１、ＣＬ２、ＣＬ３  中心線
Ｇ１、Ｇ２  間隙
Ｌ  方向
Ｐ  中心平面
Ｑ１、Ｑ２、Ｑ３  流路（流体流）
Ｔ  横断方向
【図１】
2020500722.tif 000003
【図２】
2020500722.tif 000004
【図３】
2020500722.tif 000005
【図４Ａ】
2020500722.tif 000006
【図４Ｂ】
2020500722.tif 000007
【図５】
2020500722.tif 000008
【図６】
2020500722.tif 000009
【図７】
2020500722.tif 000010
【図８Ａ】
2020500722.tif 000011
【図８Ｂ】
2020500722.tif 000012
【図９Ａ】
2020500722.tif 000013
【図９Ｂ】
2020500722.tif 000014
【図９Ｃ】
2020500722.tif 000015
【図１０】
2020500722.tif 000016
【図１１】
2020500722.tif 000017
【国際調査報告】
2020500722.tif 000018
2020500722.tif 000019